(57)【要約】  本発明は、外側に支持及び緊張構造体（１２）を有する可撓性布状反射要素（１１）、並びに少なくとも１つのランプ（１４）を有する担持要素（１３）を含み、反射スクリーン（１０）が開いた状態の反射要素（１１）が、光放射開口部（２４）を有する基本的に回転対称の本体を形成する折り畳み式反射スクリーン（１０）に関し、これは、反射要素（１１）が、反射スクリーン（１０）の回転軸Ｒを含む断面において異なる幾何学形状を各々が有する少なくとも２つの反射断面（２５、２６）から成る点で優れている。
2010532076.tif 000002
【特許請求の範囲】
【請求項１】
外側に支持及び緊張構造体（１２）を有する可撓性布状反射要素（１１）、並びに少なくとも１つのランプ（１４）を有する担持要素（１３）を含み、反射スクリーン（１０）が開いた状態の該反射要素（１１）が、光放射開口部（２４）を有する基本的に回転対称の本体を形成する折り畳み式反射スクリーン（１０）であって、
反射要素（１１）が、少なくとも２つの反射断面（２５、２６）から成り、該２つの反射断面（２５、２６）が、各場合に反射スクリーン（１０）の回転軸Ｒを含む断面において異なる幾何学形状を有する、
ことを特徴とする反射スクリーン。
【請求項２】
前記２つの反射断面（２５、２６）は、反射スクリーン（１０）の前記回転軸Ｒ又は中心軸Ｍに関して一方が他方の背後に位置することを特徴とする請求項１に記載の反射スクリーン。
【請求項３】
反射スクリーン（１０）が開いた状態の一方の反射断面（２５又は２６）が、楕円の断面に対応し、他方の反射断面（２６又は２５）が、放物線の断面に対応することを特徴とする請求項１又は請求項２に記載の反射スクリーン。
【請求項４】
断面が楕円の前記反射断面（２６）は、反射スクリーン（１０）の前記光放射開口部（２４）方向に前記放物線反射断面（２５）の背後に位置することを特徴とする請求項３に記載の反射スクリーン。
【請求項５】
前記反射要素（１１）は、単体ブランク材から成ることを特徴とする請求項１から請求項４のいずれか１項に記載の反射スクリーン。
【請求項６】
前記支持及び緊張構造体（１２）に加えて、前記反射断面（２５又は２６）の一方が付加的な緊張力を受けることができるように設計かつ配列された更に別の緊張手段（２７）が設けられることを特徴とする請求項１から請求項５のいずれか１項に記載の反射スクリーン。
【請求項７】
前記楕円反射断面（２６）の領域で前記反射要素（１１）に対して緊密に当接する前記支持及び緊張構造体（１２）のスクリーンスポーク（１５）が、前記放物線反射断面（２５）の領域では、該反射要素（１１）からある一定の距離に延びていることを特徴とする請求項６に記載の反射スクリーン。
【請求項８】
前記放物線反射断面（２５）と前記支持及び緊張構造体（１２）の前記スクリーンスポーク（１５）との間に、緊張要素（２８）が配列されることを特徴とする請求項７に記載の反射スクリーン。
【請求項９】
前記緊張要素（２８）は、それらが一方向に拡張可能であり、他の方向に拡張可能ではないように構成かつ設計されることを特徴とする請求項８に記載の反射スクリーン。
【請求項１０】
前記緊張要素（２８）の各々は、前記緊張した反射要素（２５）の表面に対して基本的に垂直に延伸することができる繊維要素から成ることを特徴とする請求項８又は請求項９に記載の反射スクリーン。
【請求項１１】
前記繊維要素は、前記反射要素（１１）の方向に面する側で後者に対して剛的に接続され、かつ他方の側で前記支持及び緊張構造体（１２）のそれぞれ関連する前記スクリーンスポーク（１５）に取り付けられることを特徴とする請求項１０に記載の反射スクリーン。
【請求項１２】
前記緊張手段（２７）の緊張力が、調節可能であることを特徴とする請求項６から請求項１１のいずれか１項に記載の反射スクリーン。
【請求項１３】
前記反射要素（１１）は、その内側が前記ランプ（１４）の方向に向くように構造化されることを特徴とする請求項１から請求項１２のいずれか１項に記載の反射スクリーン。
【請求項１４】
前記布状反射要素（１１）は、蒸着によってアルミニウムが付加されたプラスチックフィルムが積層された担持繊維で作られることを特徴とする請求項１から請求項１３のいずれか１項に記載の反射スクリーン。
【請求項１５】
前記担持要素（１３）は、該担持要素（１３）が、反射スクリーン（１０）の前記中心軸Ｍの方向に後者に関して軸線方向に変位可能であるように、前記又は各ランプ（１４）のための集束ユニット（２２）の方式で設計されることを特徴とする請求項１から請求項１４のいずれか１項に記載の反射スクリーン。
【発明の詳細な説明】
【技術分野】
【０００１】
本発明は、外側に支持及び緊張構造体を有する可撓性布状反射要素、並びに少なくとも１つのランプを有する担持要素を含み、反射スクリーンが開いた状態の反射要素が、光放射開口部を有する基本的に回転対称の本体を形成する折り畳み式反射スクリーンに関する。
【背景技術】
【０００２】
この種の反射スクリーンは、特に、写真又は映画の分野で使用される。反射スクリーンの手段により、好ましくは、異なる照明及び／又は陰影効果及び画像、すなわち、異なる画像特性が生成又は形成される。また、反射スクリーンは、物体などを選択的に照明するために部屋の照明に使用することができる。移動式反射スクリーンが、一方で輸送目的に対して軽量であり、他方で低い搬送容積を有するという要件があるのは、まさしく写真及び映画の分野においてである。「傘状」反射スクリーンを次にそのフルサイズまで開くことができるのは、使用場所においてである。
【０００３】
反射スクリーンが開いた状態の反射要素が、担持要素の中心軸を含む断面において放物線又は楕円又は他の一般的形態のいずれかに対応する以上説明した特徴を有する反射スクリーンは、公知である。特許文書ＤＥ１９６１８４３４Ｃ２を一例として挙げる。そこでは、開いた状態にある反射要素は、断面が楕円体である。しかし、各々が中心軸を含む断面におけるただ１つの幾何学形状に対応するこれらの反射スクリーンは、それらが実行可能な設計の数において制限されるという欠点を有する。換言すれば、各断面が中心軸に平行に延びる公知の反射器は、同じ幾何学曲線、例えば、放物線、楕円、又はほぼ楕円形などを示す。これは、回転体の各幾何学形状が光線のただ１つの特定反射を可能にすることを意味する。通常は、いくつかの反射区域を重ね合わせるために、いくつかの反射器が必要である。この費用は、相当なものである。
【先行技術文献】
【特許文献】
【０００４】
【特許文献１】ドイツ特許公開  ＤＥ１９６１８４３４Ｃ２
【発明の概要】
【発明が解決しようとする課題】
【０００５】
従って、より広い分野の用途を有する軽量で操作が簡単な反射スクリーンを提供することが本発明の目的である。
【課題を解決するための手段】
【０００６】
この目的は、反射要素が少なくとも２つの反射断面で構成され、２つの反射断面の各々が、反射スクリーンの回転軸を含む断面において異なる幾何学形状を有するという事実により、以上説明した種類の反射スクリーンによって達成される。「回転軸を含む断面」とは、図に示すように中心軸又は回転軸に平行な断面を意味する。これは、断面の反射要素によって説明又は形成される範囲が、異なる幾何学曲線断面から成る曲線を説明することを意味する。本発明によるこの実施形態により、単一反射スクリーンを用いて、いくつかの幾何学的本体の反射特性を組み合わせるか又は混ぜ合わせることが可能である。
【０００７】
本発明の適切な実施形態がもたらすのは、２つの反射断面が、反射スクリーンの回転軸又は中心軸に関して一方が他方の背後に位置するということである。これは、簡単な操作で照明及び陰影効果の広範な調節を保証する。
有利な態様では、反射スクリーンが開いた状態の一方の反射断面は、楕円の断面に対応し、他方の反射断面は、放物線の断面に対応し、その場合、言うまでもなく、幾何学的本体又は曲線断面も適切な形態で取り囲まれる。この手段により、付加的な反射スクリーンなどを不要にすることができるように本質的な反射又は光線経路を得ることができる。
【０００８】
本発明の好ましい進展が優れているのは、支持及び緊張構造体に加えて、反射断面の１つが付加的な緊張力を受けることができるような方法で設計及び配列された更に別の緊張手段が設けられるという点である。通常は個々のスポークを有する支持及び緊張構造体の手段により、楕円又はほぼ楕円形の形状を呈することができる。しかし、放物線を生成するためには、スポークのかなり大きな曲げが必要になり、これは、従来の材料では経済的ではない。付加的な緊張手段により、反射要素の放物線への成形は、特に適切かつ廉価である。
【０００９】
好ましくは、放物線反射断面と支持及び緊張構造体のスポークとの間には、緊張要素が配列される。スポークに対する緊張要素の割り当てと回転体の円周回りの緊張要素の関連の分布とにより、反射断面の特に正確な成形が保証される。言い換えれば、放物線反射断面の大きな曲率にも関わらず、しわのない均一な緊張が保証される。
本発明の特に適切な実施形態の特徴は、緊張要素の各々が、反射要素に対して基本的に垂直に延伸することができる繊維要素から成るという点である。緊張要素が非常に軽量であり、従って特に取り扱いが簡単なその設計に加えて、長い距離にわたる緊張力の均一な印加が同じく保証される。
更に別の適切又は有利な特性及び実施形態は、以下に説明する従属請求項及び説明から明らかである。特に好ましい実施形態を添付図面の助けを借りてより詳細に説明する。
【図面の簡単な説明】
【００１０】
【図１】単部品構成反射要素を有する反射スクリーンの概略側面図である。
【図２】２部品構成反射要素を有する反射スクリーンの概略側面図である。
【発明を実施するための形態】
【００１１】
以下に説明する反射スクリーンは、特に写真及び映画の分野の照明及び／又は陰影効果の生成に役立つものである。当然のことながら、反射スクリーンはまた、他の分野でも使用することができる。
図１による反射スクリーン１０は、折り畳み式反射スクリーン１０として設計され、反射要素１１、支持及び緊張構造体１２、及び少なくとも１つのランプ１４を有する担持要素１３を含む。反射要素１１は、それを折り畳んだ状態から開いた状態に及びその逆に変えることができるような可撓性材料で作られる。布状反射要素１１を支持及び緊張させるために、外側に配列された支持及び緊張構造体１２が設けられる。これは、支持及び緊張構造体１２の全ての構成要素が、内側に形成された反射要素１１の反射面の外側に位置することを意味する。より正確には、支持及び緊張構造体１２は、スクリーンスポーク１５及び拡張スポーク１６を有する。スクリーンスポーク１５は、反射要素１１の外部シーム１７に挿入され、支持体１８の領域で後者にヒンジ止めされる。スクリーンスポーク１５は、支持体１８へのそれらの装着点から短い距離に拡張接合部１９を有する。スクリーンスポーク１５は、後述する光放射開口部２４の領域で反射要素１１を超えて突出するか（図１参照）又は反射要素１１で終了する（図２参照）ことができる。スクリーンスポーク１５の突出端部では、任意的に、例えば、球状末端部２９などを配列することができる。拡張スポーク１６は、拡張接合部１９の領域でスクリーンスポーク１５に接続される。拡張スポーク１６の他端は、対応するナックル接合部２０上などに取り付けられる。ナックル接合部２０は、次に、環状摺動要素２１上に配列される。この構成及び作動の原理は、例えば、上述のＤＥ１９６１８４３４Ｃ２から基本的に公知である。当然のことながら、支持及び緊張構造体は、あらゆる他の一般的な方法でも構成することができる。
【００１２】
一方を他方の背後に又は互いにオフセットして配列することができ、ランプ１４又はいくつかのランプ１４を有する担持要素１３は、好ましい実施形態に示すように、剛性要素として又は集束ユニット２２として設計することができる。上記又は各ランプ１４に対する集束ユニット２２は、担持要素１３が、反射スクリーン１０の中心軸Ｍの方向に後者に対して軸線方向に変位可能であるように設計される。反射要素１１内の担持要素１３の位置に従って、反射光線の経路が変わる。図示する図１では、従って、反射光線の経路は、担持要素１３の１つの位置に対して単に一例として示している。
【００１３】
反射要素１１は、開いた状態で、図示の実施形態では中心軸Ｍに対応する回転軸Ｒの周りに基本的に回転対称の本体２３を形成する。反射要素１１は、担持要素１３から離れる方向に向く側に光放射開口部２４を有する。図示の実施形態では、ランプ１４は、その光軸Ａが直接に中心軸Ｍ上にあるように位置する。２つの軸線Ａ及びＭは、しかし、互いにオフセットすることができる。本体２３を形成又は説明する反射要素１１は、担持要素１３が反射要素１１内に導入される起点から光放射開口部２４まで広がっている。起点は、「背後に」として定義され、一方、光放射開口部２４は、「正面に」として定義される。
【００１４】
好ましくは単体ブランク材で構成されるが（図１参照）、他の実施形態ではいくつかの部品に設計するか又はいくつかの構成部品から組み立てることもできる（図２参照）反射要素１１は、少なくとも２つの反射断面２５、２６から成る。代替的に、反射要素１１はまた、２つよりも多い反射断面で構成することができる。言い換えれば、反射要素１１は、幾何学形状が異なる２つ又はそれよりも多くの反射断面２５、２６が存在するように設計又は成形することができる。２つの反射断面２５、２６の各々は、反射スクリーン１０の回転軸Ｒを含む断面に異なる幾何学形状を有する。これは、ランプ１４から反射要素１１に衝突する光線が、一方の反射断面２５では他方の反射断面２６とは異なって反射されることを意味する。
【００１５】
２つの反射断面２５、２６は、反射スクリーン１０の中心軸Ｍ又は回転軸Ｒに関して一方が他方の背後に位置する。言い換えれば、光線は、反射要素１１の後方領域で断面が第１の幾何学形状をした第１の反射断面２５上に衝突し、反射要素１１の前方領域で断面が第２の幾何学形状をした第２の反射断面２６上に衝突する。反射スクリーン１０が開いた状態の反射断面２５又は２６の一方は、楕円の断面に対応し、一方、他方の反射断面２６又は２５は、放物線の断面に対応する。当然のことながら、反射断面２５、２６はまた、他の幾何学形状の断面を表すことができる。図示の実施形態では、放物線反射断面２５が、担持要素１３の領域の後方に位置する。楕円反射断面２６は、担持要素１３から始まり、光放射開口部２４の領域の前方では、放物線反射断面２５の背後に位置する。
【００１６】
上述のように、反射要素１１は、支持及び緊張構造体１２によって基本的に緊張させられる。しかし、スクリーンスポーク１５は、シーム１７の前方の楕円反射断面２６の領域においてのみ反射要素１１に緊密に当接する。後方の放物線反射断面２５の領域では、スクリーンスポーク１５は、反射要素１１からある一定の距離に延びている。スクリーンスポーク１５で直接緊張されていない反射断面２５を緊張させるために、支持及び緊張構造体１２に加えて、２つの反射断面２５、２６の一方、この場合は放物線後方反射断面２５が付加的な緊張力を受けることができるように設計かつ配列された更に別の緊張手段が設けられる。具体的には、これは、付加的な緊張手段２７により、単体ブランク材から断面の異なる幾何学形状を生成することができることを意味する。換言すれば、緊張手段２７は、布状反射要素１１をスクリーンスポーク１５によって表された形状とは異なる形状に少なくとも部分的に変えるのに適している。
【００１７】
上述のように、後方放物線反射断面２５とスクリーンスポーク１５との間には、緊張要素２８が配列された間隙が形成される。より正確には、いくつかの緊張要素２８が、緊張手段を形成し、緊張要素２８の数は、好ましくは、スクリーンスポーク１５の数に対応する。当然のことながら、緊張要素２８及びスクリーンスポーク１５の両方の数は、変えることができる。図１に示す実施形態では、各緊張要素２８は、２つの緊張突起３０から成る。しかし、緊張要素２８の設計は、同じく変えることもできる。緊張要素２８の設計は、多様にすることができる。好ましくは、緊張要素２８は、それらが一方向に拡張可能であり、他の方向には拡張可能でないように構成かつ設計される。この手段により、緊張力は、反射要素１１に、特に、後方の放物線反射断面２５に特に有効に伝達することができる。拡張の方向は、緊張する反射要素１１の表面に対して基本的に垂直に延びる。ここで、上述の特性を有する繊維要素は、緊張力の均等な印加に加えて、それらが非常に軽量なので、特に好ましいことが証明された。任意的に、他の緊張手段、特にシートなどを設けることもができる。
【００１８】
繊維要素は、反射要素１１の方向に面する側面で後者に対して、かつ他方の側で支持及び緊張構造体１２のそれぞれに関連するスクリーンスポーク１５に対して、例えば縫い合わせにより剛的に取り付けられる。反射要素１１への装着部は、シーム１７延長部における繊維要素が反射要素１１の円周に沿って延びるように直線的である。繊維要素はまた、例えば、言わば、縫い目又はくぎ留めなどによってスクリーンスポーク１５上に懸架されている。各個々の緊張要素２８の緊張手段２７の緊張力は、スクリーンスポーク１５と反射断面２５の間の距離を短くすることによって調節可能である。
反射要素１１それ自体は、その内側がランプ１４の方向に向くように構造化される。それは、好ましくは、例えば、蒸着によってアルミニウムなどが付加される例えばポリエステルで作られたプラスチックフィルムが積層された金属泊又は担持繊維で作られる。他の材料、又は材料又はコーティングの組合せも、同じく可能である。
【００１９】
反射断面２５、２６の２つの基本的な幾何学形状を考慮する場合、それらの原点又は頂点ＳＰは、互いにある一定の距離に位置する。この距離は、変化させて、ゼロにまで減少させることさえできる。言い換えれば、２つの反射断面２５、２６はまた、反射断面２５、２６、楕円、及び放物線によって形成された幾何学的本体の頂点ＳＰが、共通頂点ＳＰにおいて一方が他方の上方に位置するような方法で成形することができる。好ましくは、しかし、中心軸Ｍの方向にオフセットが存在する。
図２のような更に別の実施形態では、反射要素１１は分割される。２つの別々の反射断面２５、２６が存在し、後方放物線反射断面２５が、前方楕円反射断面２６内に配列される。それ以外は、その構成は、上述の実施形態に従うものである。
【符号の説明】
【００２０】
１０  折り畳み式反射スクリーン
１１  可撓性布状反射要素
１２  支持及び緊張構造体
１３  担持要素
１４  ランプ
２４  光放射開口部
２５、２６  反射断面
【図１】
2010532076.tif 000003
【図２】
2010532076.tif 000004
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
外側に支持及び緊張構造体（１２）を有する可撓性布状反射要素（１１）、並びに少なくとも１つのランプ（１４）を有する担持要素（１３）を含み、反射スクリーン（１０）が開いた状態の前記反射要素（１１）が、光放射開口部（２４）を有する基本的に回転対称の本体を形成する折り畳み式反射スクリーン（１０）であって、
前記反射要素（１１）は、少なくとも２つの反射断面（２５、２６）から成り、前記２つの反射断面（２５、２６）は、各場合に前記反射スクリーン（１０）の回転軸Ｒを含む断面において異なる幾何学形状を有することを特徴とする反射スクリーン。
【請求項２】
前記２つの反射断面（２５、２６）は、反射スクリーン（１０）の前記回転軸Ｒ又は中心軸Ｍに関して一方が他方の背後に位置することを特徴とする請求項１に記載の反射スクリーン。
【請求項３】
前記反射スクリーン（１０）が開いた状態の一方の反射断面（２５又は２６）は、楕円の断面に対応し、他方の反射断面（２６又は２５）は、放物線の断面に対応することを特徴とする請求項１又は請求項２に記載の反射スクリーン。
【請求項４】
断面が楕円の前記反射断面（２６）は、反射スクリーン（１０）の前記光放射開口部（２４）方向に前記放物線反射断面（２５）の背後に位置することを特徴とする請求項３に記載の反射スクリーン。
【請求項５】
前記反射要素（１１）は、単体ブランク材から成ることを特徴とする請求項１から請求項４のいずれか１項に記載の反射スクリーン。
【請求項６】
前記支持及び緊張構造体（１２）に加えて、前記反射断面（２５又は２６）の一方が付加的な緊張力を受けることができるように設計かつ配列された更に別の緊張手段（２７）が設けられることを特徴とする請求項１から請求項５のいずれか１項に記載の反射スクリーン。
【請求項７】
前記楕円反射断面（２６）の領域で前記反射要素（１１）に対して緊密に当接する前記支持及び緊張構造体（１２）のスクリーンスポーク（１５）が、前記放物線反射断面（２５）の領域では、該反射要素（１１）からある一定の距離に延びていることを特徴とする請求項６に記載の反射スクリーン。
【請求項８】
前記放物線反射断面（２５）と前記支持及び緊張構造体（１２）の前記スクリーンスポーク（１５）との間に、緊張要素（２８）が配列されることを特徴とする請求項７に記載の反射スクリーン。
【請求項９】
前記緊張要素（２８）は、それらが一方向に拡張可能であり、他の方向に拡張可能ではないように構成かつ設計されることを特徴とする請求項８に記載の反射スクリーン。
【請求項１０】
前記緊張要素（２８）の各々は、前記緊張した反射要素（１１）の表面に対して基本的に垂直に延伸することができる繊維要素から成ることを特徴とする請求項８又は請求項９に記載の反射スクリーン。
【請求項１１】
前記繊維要素は、前記反射要素（１１）の方向に面する側で後者に対して剛的に接続され、かつ他方の側で前記支持及び緊張構造体（１２）のそれぞれ関連する前記スクリーンスポーク（１５）に取り付けられることを特徴とする請求項１０に記載の反射スクリーン。
【請求項１２】
前記緊張手段（２７）の緊張力は、調節可能であることを特徴とする請求項６から請求項１１のいずれか１項に記載の反射スクリーン。
【請求項１３】
前記反射要素（１１）は、その内側が前記ランプ（１４）の方向に向くように構造化されることを特徴とする請求項１から請求項１２のいずれか１項に記載の反射スクリーン。
【請求項１４】
前記布状反射要素（１１）は、蒸着によってアルミニウムが付加されたプラスチックフィルムが積層された担持繊維で作られることを特徴とする請求項１から請求項１３のいずれか１項に記載の反射スクリーン。
【請求項１５】
前記担持要素（１３）は、該担持要素（１３）が、反射スクリーン（１０）の前記中心軸Ｍの方向に後者に関して軸線方向に変位可能であるように、前記又は各ランプ（１４）のための集束ユニット（２２）の方式で設計されることを特徴とする請求項１から請求項１４のいずれか１項に記載の反射スクリーン。
【国際調査報告】
2010532076.tif 000005
2010532076.tif 000006
2010532076.tif 000007
2010532076.tif 000008